(57)【特許請求の範囲】
【請求項１】
送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生するデジタル放送システムにおいて、
送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含めて送信し、
受信装置は、受信した番組の映像・音声データを蓄積するとき、受信した前記インデックス情報に基づいて、既に映像・音声データを蓄積している記事のカテゴリＩＤとサブカテゴリＩＤと更新属性とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のカテゴリＩＤ及びサブカテゴリＩＤと同一のカテゴリＩＤ及びサブカテゴリＩＤを有する記事の情報を前記蓄積リストから探して提示することを特徴とする放送システム。
【請求項２】
送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生するデジタル放送システムにおいて、
送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性と、関連する記事を指定するリンク情報とを示す記事管理情報を含めて送信し、
受信装置は、受信した番組の映像・音声データを蓄積するとき、受信した前記インデックス情報に基づいて、既に映像・音声データを蓄積している記事のカテゴリＩＤとサブカテゴリＩＤと更新属性とリンク情報とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のリンク情報によって指定された記事の情報を前記蓄積リストから探して提示することを特徴とする放送システム。
【請求項３】
前記送信装置は、前記リンク情報で、関連する直近の記事を指定することを特徴とする請求項２に記載の放送システム。
【請求項４】
送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生するデジタル放送システムにおいて、
送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含めて送信し、
受信装置は、受信した番組の映像・音声データを蓄積するとき、前記番組に含まれるそれぞれの記事に対して関連する記事を指定するリンク情報を生成し、受信した前記インデックス情報と、生成した前記リンク情報とに基づいて、既に映像・音声データを蓄積している記事のカテゴリＩＤとサブカテゴリＩＤと更新属性とリンク情報とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のリンク情報によって指定された記事の情報を前記蓄積リストから探して提示することを特徴とする放送システム。
【請求項５】
前記受信装置は、受信した記事に関する文字放送の文字データと、既に映像・音声データを蓄積している記事に関する文字放送の文字データとの一致度合いから、受信した前記記事に関する前記リンク情報を生成することを特徴とする請求項４に記載の放送システム。
【請求項６】
送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生する記事再生方法において、
送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含めて送信し、
受信装置は、受信した番組の映像・音声データを蓄積するとき、受信した前記インデックス情報に基づいて、既に映像・音声データを蓄積している記事のカテゴリＩＤとサブカテゴリＩＤと更新属性とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のカテゴリＩＤ及びサブカテゴリＩＤと同一のカテゴリＩＤ及びサブカテゴリＩＤを有する記事の情報を前記蓄積リストから探して提示することを特徴とする記事再生方法。
【請求項７】
送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生する記事再生方法において、
送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性と、関連する記事を指定するリンク情報とを示す記事管理情報を含めて送信し、
受信装置は、受信した番組の映像・音声データを蓄積するとき、受信した前記インデックス情報に基づいて、既に映像・音声データを蓄積している記事のカテゴリＩＤとサブカテゴリＩＤと更新属性とリンク情報とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のリンク情報によって指定された記事の情報を前記蓄積リストから探して提示することを特徴とする記事再生方法。
【請求項８】
前記送信装置は、前記リンク情報で、関連する直近の記事を指定することを特徴とする請求項７に記載の記事再生方法。
【請求項９】
送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生する記事再生方法において、
送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含めて送信し、
受信装置は、受信した番組の映像・音声データを蓄積するとき、前記番組に含まれるそれぞれの記事に対して関連する記事を指定するリンク情報を生成し、受信した前記インデックス情報と、生成した前記リンク情報とに基づいて、既に映像・音声データを蓄積している記事のカテゴリＩＤとサブカテゴリＩＤと更新属性とリンク情報とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のリンク情報によって指定された記事の情報を前記蓄積リストから探して提示することを特徴とする記事再生方法。
【請求項１０】
前記受信装置は、受信した記事に関する文字放送の文字データと、既に映像・音声データを蓄積している記事に関する文字放送の文字データとの一致度合いから、受信した前記記事に関する前記リンク情報を生成することを特徴とする請求項９に記載の記事再生方法。
【請求項１１】
番組の映像・音声データと、前記番組に含まれる記事を定義するインデックス情報とを送信装置から受信して、番組の映像・音声データを蓄積し、選択された記事の映像・音声データを再生する受信装置において、
送信装置から、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含む前記インデックス情報を受信し、
受信した番組の映像・音声データを蓄積するとき、受信した前記インデックス情報に基づいて、既に映像・音声データを蓄積している記事のカテゴリＩＤとサブカテゴリＩＤと更新属性とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のカテゴリＩＤ及びサブカテゴリＩＤと同一のカテゴリＩＤ及びサブカテゴリＩＤを有する記事の情報を前記蓄積リストから探して提示することを特徴とする受信装置。
【請求項１２】
番組の映像・音声データと、前記番組に含まれる記事を定義するインデックス情報とを送信装置から受信して、番組の映像・音声データを蓄積し、選択された記事の映像・音声データを再生する受信装置において、
送信装置から、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性と、関連する記事を指定するリンク情報とを示す記事管理情報を含む前記インデックス情報を受信し、
受信した番組の映像・音声データを蓄積するとき、受信した前記インデックス情報に基づいて、既に映像・音声データを蓄積している記事のカテゴリＩＤとサブカテゴリＩＤと更新属性とリンク情報とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のリンク情報によって指定された記事の情報を前記蓄積リストから探して提示することを特徴とする受信装置。
【請求項１３】
番組の映像・音声データと、前記番組に含まれる記事を定義するインデックス情報とを送信装置から受信して、番組の映像・音声データを蓄積し、選択された記事の映像・音声データを再生する受信装置において、
送信装置から、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含む前記インデックス情報を受信し、
受信した番組の映像・音声データを蓄積するとき、前記番組に含まれるそれぞれの記事に対して関連する記事を指定するリンク情報を生成し、受信した前記インデックス情報と、生成した前記リンク情報とに基づいて、既に映像・音声データを蓄積している記事のカテゴリＩＤとサブカテゴリＩＤと更新属性とリンク情報とが記述された蓄積リストを更新し、
記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、
選択された記事の映像・音声データを再生したときには、ユーザの求めに応じて、再生した記事のリンク情報によって指定された記事の情報を前記蓄積リストから探して提示することを特徴とする受信装置。
【発明の詳細な説明】
【０００１】
【発明の属する技術分野】
本発明は、デジタル放送システムと、そのシステムでの情報参照方法と、受信装置に関し、特に、受信装置において、ニュースなどの情報を効率的に蓄積し、効率的に再生することができるようにするものである。
【０００２】
【従来の技術】
デジタル放送では、映像・音声データと云った番組の本体と多重化して、ＥＰＧ（Ｅｉｅｃｔｒｉｃ  Ｐｒｏｇｒａｍ  Ｇｕｉｄｅ：電子番組表）の情報を構成する番組編成情報や、番組に含まれるシーンをシーンの時間的位置により指定することで定義するインデックス情報などを送ることが可能であり、こうしたデジタル放送の特性を利用して、様々なサービスが考えられている。
【０００３】
例えば、ＮＨＫが提案しているＩＳＤＢ（Ｉｎｔｅｇｒａｔｅｄ  Ｓｅｒｖｉｃｅ  Ｄｉｇｉｔａｌ  Ｂｒｏａｄｃａｓｔｉｎｇ）における「いつでもニュース」機能によれば、ニュース番組を一旦録画して再生する場合に、ユーザが好みの具体的ニュースを選択して視聴できるようにする方式が開発されている。この方式では、ニュース番組に含まれる具体的ニュース（この明細書では、それぞれの具体的ニュースを「記事」と呼ぶことにする。）に対応するシーンがどのような時間帯に放送されるのかを示すインデックス情報がニュース番組の映像・音声データに多重化して放送され、受信側は、このインデックス情報をニュース番組の映像・音声データと合わせて蓄積する。このインデックス情報は、日本のデジタル放送で規格化が検討されている番組インデックス符号化方式で記述可能である。
【０００４】
再生時には、インデックス情報に基づいて記事の一覧を画面に表示し、そこからユーザが選択した記事が再生される。
【０００５】
【発明が解決しようとする課題】
しかし、この方式では、ある特定の時刻に放送されたニュース番組１つに対して１つのインデックス情報が存在するだけであり、ニュース番組を跨がって複数記事の関係を扱うことができなかった。すなわち、蓄積した１回のニュース番組の中から記事を選択して再生することができるだけであって、ニュース番組を複数回に渡って蓄積した場合には、再生視聴を効率的に行うことができない。
【０００６】
例えば、ニュース番組では、各時間帯の定時ニュースで同じ記事が繰り返し放送されることが多く、そのため、ニュース番組を視聴する機会が多いユーザは、意に反して、同じ記事を何度も見せられる場合がある。
【０００７】
一方、その反面、ニュース番組の放送時間枠の制限によって、一度に送られる記事数は制約されるので、例えば、大事件が発生し、その事件に関する記事のみ放送された場合、その以前に放送されたニュース番組に含まれる、些細ではあるがまだ無効ではない記事だけを簡単に選択できない。
【０００８】
また、注目する記事の経過をウオッチしたい場合には、毎時間ごとのニュース番組を継続して視聴することが必要になり、可成りの負担になる。
【０００９】
また、番組制作を行う側が、記事をカテゴリ分けする方法も考えられるが、細かいカテゴリ分類に多くの手間が必要であったり、時間に対して変質する話題に対して、記事を分類できるだけの細かいカテゴリ分けを予め定義することは困難であった。
【００１０】
本発明は、こうした従来の問題点を解決するものであり、ニュース番組等の放送情報を効率的に蓄積し、ユーザの効率的な再生視聴を可能にする放送システムと、その情報参照方法と、その受信装置とを提供することを目的としている。
【００１１】
【課題を解決するための手段】
そこで、本発明の放送システムでは、送信装置が、放送するシーンの管理情報として、このシーンのカテゴリＩＤ及びサブカテゴリＩＤと、このシーンの更新属性とを送信し、受信装置では、蓄積したシーンの中から、更新属性が差し替えのシーンに対して差し替え用のシーンを受信したときにシーンの差し替えを行い、蓄積しているシーンの中の関連情報を識別して、ユーザの求めに応じて提示するようにしている。
【００１２】
また、本発明の受信装置では、送信装置から受信した管理情報に基づいて、蓄積したシーンの中から、差し替え用のシーンを受信したときにシーンの差し替えを行い、蓄積しているシーンの中の関連情報を識別して、ユーザの求めに応じて提示するようにしている。
【００１３】
そのため、受信装置において、ニュース番組などを効率的に蓄積再生することが可能になる。
【００１４】
【発明の実施の形態】
本発明の請求項１に記載の発明は、送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生するデジタル放送システムにおいて、送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含めて送信し、受信装置は、受信した番組の映像・音声データを蓄積するとき、受信した前記インデックス情報に基づいて、既に映像・音声データを蓄積している記事のカテゴリＩＤとサブカテゴリＩＤと更新属性とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のカテゴリＩＤ及びサブカテゴリＩＤと同一のカテゴリＩＤ及びサブカテゴリＩＤを有する記事の情報を前記蓄積リストから探して提示するようにしたものであり、ニュース番組の記事などを効率的に蓄積再生することができる。
【００１６】
請求項２に記載の発明は、送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生するデジタル放送システムにおいて、送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性と、関連する記事を指定するリンク情報とを示す記事管理情報を含めて送信し、受信装置は、受信した番組の映像・音声データを蓄積するとき、受信した前記インデックス情報に基づいて、既に映像・音声データを蓄積している記事のカテゴリＩＤとサブカテゴリＩＤと更新属性とリンク情報とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のリンク情報によって指定された記事の情報を前記蓄積リストから探して提示するようにしたものであり、受信装置は、関連情報を簡単に見つけることができる。
【００１７】
請求項３に記載の発明は、送信装置が、リンク情報で、関連する直近の記事を指定するようにしたものであり、送出装置は、関連する一つ前の記事を探し出すだけで、リンク情報を付加することができる。
【００１８】
請求項４に記載の発明は、送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生するデジタル放送システムにおいて、送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含めて送信し、受信装置は、受信した番組の映像・音声データを蓄積するとき、前記番組に含まれるそれぞれの記事に対して関連する記事を指定するリンク情報を生成し、受信した前記インデックス情報と、生成した前記リンク情報とに基づいて、既に映像・音声データを蓄積している記事のカテゴリＩＤとサブカテゴリＩＤと更新属性とリンク情報とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のリンク情報によって指定された記事の情報を前記蓄積リストから探して提示するようにしたものであり、受信装置が独自にリンク情報を生成することができる。
【００１９】
請求項５に記載の発明は、受信装置が、受信した記事に関する文字放送の文字データと、既に映像・音声データを蓄積している記事に関する文字放送の文字データとの一致度合いから、受信した前記記事に関するリンク情報を生成するようにしたものであり、放送局の枠を超えて関連情報を検索することができる。
【００２０】
請求項６に記載の発明は、送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生する記事再生方法において、送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含めて送信し、受信装置は、受信した番組の映像・音声データを蓄積するとき、受信した前記インデックス情報に基づいて、既に映像・音声データを蓄積している記事のカテゴリＩＤとサブカテゴリＩＤと更新属性とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のカテゴリＩＤ及びサブカテゴリＩＤと同一のカテゴリＩＤ及びサブカテゴリＩＤを有する記事の情報を前記蓄積リストから探して提示するようにしたものであり、ニュース番組の記事などを効率的に蓄積し、効率的に再生、提示することができる。
【００２２】
請求項７に記載の発明は、送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生する記事再生方法において、送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性と、関連する記事を指定するリンク情報とを示す記事管理情報を含めて送信し、受信装置は、受信した番組の映像・音声データを蓄積するとき、受信した前記インデックス情報に基づいて、既に映像・音声データを蓄積している記事のカテゴリＩＤとサブカテゴリＩＤと更新属性とリンク情報とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のリンク情報によって指定された記事の情報を前記蓄積リストからして提示するようにしたものであり、受信装置は、関連情報を簡単に見つけて提示することができる。
【００２３】
請求項８に記載の発明は、送信装置が、リンク情報で、関連する直近の記事を指定するようにしたものであり、送出装置は、関連する一つ前の記事を探し出すだけで、リンク情報を付加することができる。
【００２４】
請求項９に記載の発明は、送信装置が、番組の映像・音声データと、前記番組に含まれる記事を定義するインデックス情報とを送信し、受信装置が、前記送信装置から送られて来る番組の映像・音声データを蓄積して、選択された記事の映像・音声データを再生する記事再生方法において、送信装置は、前記インデックス情報の中に、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含めて送信し、受信装置は、受信した番組の映像・音声データを蓄積するとき、前記番組に含まれるそれぞれの記事に対して関連する記事を指定するリンク情報を生成し、受信した前記インデックス情報と、生成した前記リンク情報とに基づいて、既に映像・音声データを蓄積している記事のカテゴリＩＤとサブカテゴリＩＤと更新属性とリンク情報とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のリンク情報によって指定された記事の情報を前記蓄積リストから探して提示するようにしたものであり、受信装置が独自にリンク情報を生成することができる。
【００２５】
請求項１０に記載の発明は、受信装置が、受信した記事に関する文字放送の文字データと、既に映像・音声データを蓄積している記事に関する文字放送の文字データとの一致度合いから、受信した前記記事に関するリンク情報を生成するようにしたものであり、放送局の枠を超えて関連情報を検索し、提示することができる。
【００２６】
請求項１１に記載の発明は、番組の映像・音声データと、前記番組に含まれる記事を定義するインデックス情報とを送信装置から受信して、番組の映像・音声データを蓄積し、選択された記事の映像・音声データを再生する受信装置において、送信装置から、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含む前記インデックス情報を受信し、受信した番組の映像・音声データを蓄積するとき、受信した前記インデックス情報に基づいて、既に映像・音声データを蓄積している記事のカテゴリＩＤとサブカテゴリＩＤと更新属性とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のカテゴリＩＤ及びサブカテゴリＩＤと同一のカテゴリＩＤ及びサブカテゴリＩＤを有する記事の情報を前記蓄積リストから探して提示するようにしたものであり、ニュース番組の記事などの効率的な蓄積再生が可能になる。
【００２７】
請求項１２に記載の発明は、番組の映像・音声データと、前記番組に含まれる記事を定義するインデックス情報とを送信装置から受信して、番組の映像・音声データを蓄積し、選択された記事の映像・音声データを再生する受信装置において、送信装置から、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性と、関連する記事を指定するリンク情報とを示す記事管理情報を含む前記インデックス情報を受信し、受信した番組の映像・音声データを蓄積するとき、受信した前記インデックス情報に基づいて、既に映像・音声データを蓄積している記事のカテゴリＩＤとサブカテゴリＩＤと更新属性とリンク情報とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のリンク情報によって指定された記事の情報を前記蓄積リストから探して提示するようにしたものであり、関連情報の検索を簡単に行うことができる。
【００２８】
請求項１３に記載の発明は、番組の映像・音声データと、前記番組に含まれる記事を定義するインデックス情報とを送信装置から受信して、番組の映像・音声データを蓄積し、選択された記事の映像・音声データを再生する受信装置において、送信装置から、番組に含まれるそれぞれの記事のカテゴリを表すカテゴリＩＤと、前記カテゴリをさらに細分化したサブカテゴリを表すサブカテゴリＩＤと、記事の差し替えを行うか否かを指定する更新属性とを示す記事管理情報を含む前記インデックス情報を受信し、受信した番組の映像・音声データを蓄積するとき、前記番組に含まれるそれぞれの記事に対して関連する記事を指定するリンク情報を生成し、受信した前記インデックス情報と、生成した前記リンク情報とに基づいて、既に映像・音声データを蓄積している記事のカテゴリＩＤとサブカテゴリＩＤと更新属性とリンク情報とが記述された蓄積リストを更新し、記事管理情報の更新属性が記事の差し替えを指定している記事の映像・音声データを蓄積するときには、既に蓄積している映像・音声データの中から、前記記事管理情報で表されたカテゴリＩＤ及びサブカテゴリＩＤと同一のカテゴリＩＤ及びサブカテゴリＩＤを有する記事の映像・音声データを削除し、選択された記事の映像・音声データを再生したときには、ユーザの求めに応じて、再生した記事のリンク情報によって指定された記事の情報を前記蓄積リストから探して提示するようにしたものであり、受信装置独自でリンク情報を生成することができる。
【００２９】
以下、本発明の実施の形態について、図面を用いて説明する。
【００３０】
（第１の実施形態）
第１の実施形態の放送システムは、図１に示すように、放送の送出装置１０と、地上波放送や衛星放送あるいはＣＡＴＶなどの伝送手段３０と、放送を受信する受信装置２０とから成り、送出装置１０は、番組の映像・音声データを生成・送出する映像送出手段１１と、ＥＰＧ（電子番組表）を表示するための番組編成情報を生成・送出する番組編成情報送出手段１２と、番組インデックスを生成・送出する番組インデックス送出手段１３と、各手段から出力されたデータを多重化する多重器１４と、多重器１４から出力された信号を変調する変調器１５とを備えている。
【００３１】
また、受信装置２０は、放送波を受信する受信手段２１と、多重化している受信信号から映像・音声データ、番組編成情報及び番組インデックスを分離する分離手段２２と、映像・音声データをデコードする再生手段２３と、スピーカやＣＲＴから成る提示手段２４と、番組編成情報及び番組インデックスを取得する付加情報取得手段２５と、映像・音声データや付加情報を蓄積する蓄積手段２６と、各部を制御するＣＰＵ２７と、ＣＰＵ２７の作業領域に使用されるメモリ２８とを備えている。
【００３２】
この放送システムでは、送出装置１０の映像送出手段１１が番組の映像音声データを多重器１４に出力し、また、番組編成情報送出手段１２が、図４に示すように、番組を指定するイベントＩＤと、番組の日時と、番組のタイトルとを含む番組編成情報を多重器１４に出力する。
【００３３】
また、番組インデックス送出手段１３は、番組インデックスとして、後述する記事管理情報（図７）とシーン定義情報（図８）とを作成して多重器１４に出力する。
【００３４】
シーン定義情報（図８）では、番組編成情報（図４）のイベントＩＤ（ｅｖｅｎｔ＿ｉｄ＝２０３８）に対応する番組（正午のニュース）内で放送される各記事のｌｏｃａｌ＿ｅｖｅｎｔ＿ｉｄと、各記事の放送時間（ｔｉｍｅ）と、記事のタイトルとが定義される。
【００３５】
記事管理情報（図７）は、シーン定義情報で定義された記事に対する管理情報であり、受信装置２０との間で予め交換しているカテゴリ情報（図２）に従って作成される。
【００３６】
このカテゴリ情報（図２）は、「カテゴリＩＤ（ｃｉｄ）」と、「カテゴリ名」と、そのカテゴリに属する記事の受信装置での蓄積期間を示す「有効期限」と、同じカテゴリの記事が入力したときに差し替えるかどうかを示す「更新属性」とから成る。なお、実際の記事には、ｃｉｄの他に、ｃｉｄをさらに細分化した「サブｃｉｄ」が付されるが、カテゴリ情報ではｃｉｄとの関係だけを定めている。また、カテゴリ情報が定める有効期限及び更新属性は、ｃｉｄに対するデフォルト値であり、実際の記事では、事情に応じて、このデフォルト値を変更することが可能である。受信装置２０は、このカテゴリ情報をメモリ２８に格納して保持している。
【００３７】
記事管理情報（図７）は、シーン定義情報（図８）で定義された各記事名に対して、カテゴリ情報（図２）で設定されたｃｉｄと、さらにサブｃｉｄを付し、番組編成情報（図４）に設定された放送日（ｄａｔｅ）を付し、また、ｓｉｄ（シーンＩＤ）として、ｅｖｅｎｔ＿ｉｄとそのイベントでのシーン順（＃を付した順番）を付す。有効期限及び更新属性は、特に記述しなければ、カテゴリ情報（図２）によって規定されたデフォルト値に設定され、記述した場合には、記述した値に設定される。図７では、開票速報に対してデフォルト値とは異なる「１日間」「差し替え」を設定している。
【００３８】
こうして番組インデックス送出手段１３で作成された番組インデックスは、番組編成情報送出手段１２から出力された番組編成情報及び映像送出手段１１から出力され映像・音声データとともに多重器１４で多重化され、変調器１５で変調される。
【００３９】
一方、受信装置２０では、受信手段２１が放送波を受信し、分離手段２２が、多重化されている受信信号を映像・音声データ、番組編成情報及び番組インデックスに分離する。分離された映像・音声データは蓄積手段２６に蓄積される。また、リアルタイム視聴が行われるときは、分離された映像・音声データが再生手段２３にも入力し、デコードされた映像・音声データが提示手段２４から表示される。
【００４０】
また、分離された番組編成情報及び番組インデックスは付加情報取得手段２５で取得され、番組編成情報は蓄積手段２６に格納される。
【００４１】
ＣＰＵ２７は、付加情報取得手段２５が取得した番組インデックスから、蓄積手段２６に蓄積する記事の蓄積リスト（図３）を作成し、蓄積手段２６に格納する。
【００４２】
この蓄積リスト（図３）は、蓄積手段２６での各記事の蓄積順序（番号が小さい方が新しい）を表すライブラリＩＤ（ｌｉｄ）と、番組インデックスの記事管理情報から取った記事名、ｃｉｄ及びサブｃｉｄ、到着日のｄａｔｅ、ｓｉｄ、有効期限、更新属性から成る。
【００４３】
ユーザが蓄積手段２６に蓄積されている記事の一覧表示を操作すると、蓄積リスト（図３）のデータと、それに対応する番組編成情報（図４）のデータとが読み出されて、図５に示す画面が表示される。
【００４４】
また、ＣＰＵ２７は、蓄積手段２６に蓄積されている記事の中から、蓄積リスト（図３）に記載されている有効期限が経過したものを消去することで整理を行う。この動作は図１３に示す手順で行われる。
【００４５】
ステップ１１：蓄積中の記事を順番に取り出し、
ステップ１３：蓄積リストに記述されている有効期限が切れている場合は、
ステップ１４：その記事を消去する。
【００４６】
こうした処理を全ての記事に対して行い、
ステップ１２：未処理の記事が無くなると、終了する。
【００４７】
こうして、図３で示される蓄積リストから４月８日の早朝において有効期限が切れた記事を消去した後の蓄積リストを図６に示している。
【００４８】
すなわち、４月８日の早朝において整理の処理が行われたとすると、図３の蓄積リストにおいて、ｌｉｄが２である記事「円一時１００円台」は、ｄａｔｅが“４／７”（４月７日）で、有効期限が“１日間”であるので、有効期限が切れているとステップ１３で判断され、消去される。ここで、記事「円一時１００円台」は、ｃｉｄが３でカテゴリは経済ニュースであり、図２からカテゴリのデフォルトの有効期限は２日間であるものの、図３の蓄積リストにおける有効期限が１日となっており、後者の有効期限を優先したことになる。そして、ｌｉｄを付け直すことで図６の蓄積リストとなる。
【００４９】
また、ＣＰＵ２７は、新たに記事が蓄積手段２６に蓄積されると、蓄積リストへの記事の追加を行い、また、差し替える記事があれば、それを削除する。この動作は図１４に示す手順で行われる。
【００５０】
ステップ２１：追加する記事に更新属性が記述されている場合には、
ステップ２２：ｕｐｄａｔｅ＿ｔｙｐｅにその更新属性を記入し、
ステップ２１：追加する記事に更新属性が記述されていない場合には、
ステップ２３：ｕｐｄａｔｅ＿ｔｙｐｅに、その記事の属するカテゴリの更新属性（図２）を記入し、
ステップ２４：ｕｐｄａｔｅ＿ｔｙｐｅが「差し替え」で無ければ、
ステップ２９：その記事を追加する。
【００５１】
また、ステップ２４において、ｕｐｄａｔｅ＿ｔｙｐｅが「差し替え」の場合は、
ステップ２５：蓄積中の全ての記事を順に取り出し、
ステップ２７：２つの記事のカテゴリ及びサブカテゴリが同じ場合には、
ステップ２８：取り出した記事を消去する。
【００５２】
こうした手順を繰り返し、
ステップ２６：取り出す記事が無くなると、
ステップ２９：追加する記事を追加して終了する。
【００５３】
図９の蓄積リストは、蓄積手段２６に図６の蓄積リストの記事が蓄積されている状態で、図７の記事管理情報の記事が入力したときの更新されたリストを示している。
【００５４】
すなわち、図７の記事管理情報の「円急騰大台割れ」「青酸事件容疑者逮捕」「開票速報」の３つの記事は、ステップ２９によって単純に付加される。そして、残りの「全国の天気」と「週間天気（４／８〜１４）」については、更新属性が「差し替え」となっているので、ステップ２９で同様に追加されるだけでなく、ステップ２７、ステップ２８によって、図６においてｌｉｄが２、４である記事が、同じｃｉｄ及びサブｃｉｄを持つものとして消去される。
【００５５】
次に、蓄積手段２６に蓄積された記事をユーザの操作に基づいて再生するときの動作を説明する。このとき、蓄積手段２６から読み出された記事は再生手段２３で再生され、提示手段２４に表示される。
【００５６】
このときの手順を図１５によって説明する。
【００５７】
ステップ３１：ユーザは、蓄積された記事の一覧リスト（図５）を表示し、
ステップ３２：リモコン等のボタン入力を行う。
【００５８】
ステップ３３：終了ボタンが押された場合は、
ステップ３４：処理を終了する。
【００５９】
ステップ３５：上下ボタンが押された場合は、
ステップ３６：カーソルを移動する。
【００６０】
ステップ３７：再生ボタンが押された場合は、
ステップ３８：カーソルのある記事を再生する。
【００６１】
ステップ３９：関連記事ボタンが押された場合は、
ステップ４０：カテゴリＩＤとサブカテゴリＩＤとが同一の記事を蓄積リストから探し、
ステップ４１：該当する記事が存在する場合は、
ステップ４２：カーソルを探した記事の場所に移動する。
【００６２】
従って、図９の蓄積リストの記事を一覧表示した場合では、ｌｉｄ７の「青酸事件容疑者特定」の記事を再生した後、関連記事ボタンを押すと、カーソルは、ｃｉｄ及びサブｃｉｄが同じであるｌｉｄ２の「青酸事件容疑者逮捕」の位置にカーソルが動き、ユーザが再生ボタンを押すと、その記事が再生される。
【００６３】
このように、この放送システムの受信装置では、ニュース番組の記事を再生して視聴する場合に、関連する記事を次々と見ることができる。また、重複する記事や情報価値が薄れた記事は除かれているため、ユーザはニュース番組の記事を効率的に視聴することができる。
【００６４】
（第２の実施形態）
第２の実施形態の放送システムでは、送出装置からリンク情報を付した記事管理情報が送信される。
【００６５】
図１１は、リンク情報が付された記事管理情報を示している。送出装置の側では、関連する一つ前の記事を探しだし、リンク情報を付加する。
【００６６】
蓄積リストには、図１０に示すように、送出装置の側で付したリンク情報が付される。
【００６７】
図１２の蓄積リストは、蓄積手段２６に図１０の蓄積リストの記事が蓄積されている状態で、図１１の記事管理情報の記事が入力したときの更新されたリストを示している。なお、蓄積手段２６への記事の追加や消去は第１の実施形態と同じように行われる。
【００６８】
図１６は、蓄積手段２６に蓄積された記事をユーザの操作に基づいて再生するときの動作を示している。この場合には、関連記事ボタンが押されたときに（ステップ５９）、リンク情報の指す記事を探し（ステップ６０）、その記事が存在する場合に（ステップ６１）、カーソルが探した記事の場所に移動する（ステップ６２）。その他の手順は図１５と同じである。
【００６９】
このシステムでは、番組制作者側で、関連する一つ前の記事を探し出し、送出装置に与えるだけで、リンク情報を付加することができ、非常に細かく細分化された記事のカテゴリを用意したり、明示的なカテゴリを動的に生成するようなことは全く必要ない。
【００７０】
また、直近の関連する記事に対してだけリンクを張る方式は、対象が時間とともに変質するような場合でも、それに柔軟に対応することが可能である。
【００７１】
また、蓄積された記事を整理する場合に、他の記事からリンク情報により参照されていない記事を優先して消去し、リンク情報により参照されている情報は、蓄積容量が許す限り残したり、あるいは、一時記憶領域に移動して残すようにしたりすることができる。
【００７２】
また、一つの記事から、過去の複数の記事を参照できるようにリンク情報を複数個配列にしてもよい。
【００７３】
（第３の実施形態）
第３の実施形態の放送システムでは、記事に対するリンクを受信装置の側で自動的に生成する。
【００７４】
受信装置は、記事に関する文字放送のテキストを利用して、その記事に対するリンクを生成する。この手順を図１７に示している。
【００７５】
まず、キーワードを生成する手順について説明する。
【００７６】
ステップ７１：テキストから平仮名を除去してキーワードを生成し、
ステップ７２：長さが３文字以下のキーワードを除き、
ステップ７３：各キーワードごとに出現頻度を求め、
ステップ７４：出現頻度の低いキーワードを除去し、残ったものをキーワードとする。
【００７７】
次に、キーワードを用いて記事のリンクを設定する方法について説明する。
【００７８】
ステップ７５：１つ目の記事の字幕に含まれるテキストからキーワードリストを抽出し、
ステップ７６：２つ目の記事の字幕に含まれるテキストからキーワードリストを抽出し、
ステップ７７：２つのキーワードリストの合致程度を計算し、
ステップ７８：合致の程度が閾値より大きい場合に、
ステップ７９：２つの記事の間にリンクを生成する。
【００７９】
こうした手順によって、受信装置は、独自に記事に対するリンクを生成することができる。
【００８０】
なお、ステップ７１〜ステップ７４において、テキストからキーワードを抽出する方法を述べたが、受信装置にキーワード辞書を予め設け、テキスト中から辞書に含む文字列を抽出してもよい。
【００８１】
このように、文字放送の文字字幕情報を利用して受信装置の側で記事に対するリンクを生成する場合には、他放送局のニュース番組に対しても横断的にリンクを張ることができ、放送局の枠を超えて、再生時の関連記事探索の対象を広げることができる。
【００８２】
また、この実施形態の構成は、第２の実施形態と組み合わせて実施することも可能である。
【００８３】
また、この実施形態の構成は、インターネットにおけるニュース配信型の放送サービスに適用することもできる。
【００８４】
また、第１〜３の実施形態において、蓄積手段に興味がある記事が蓄積された場合に、それをカテゴリ及びサブカテゴリに基づいて識別し、メールの到着通知の様に、アイコンや音でユーザに通知するように構成してもよい。
【００８５】
【発明の効果】
以上の説明から明らかなように、本発明の放送システムでは、番組インデックスに用いるデータ構造を利用して、受信装置でのシーンの効率的な蓄積再生が可能になる。
【００８６】
例えば、異なった時間や異なった放送局での複数のニュース番組に散在する関連記事を順に辿って視聴したり、興味ある記事に関連する記事の到着を通知することができる。
【００８７】
また、送信側で関連情報のリンクを張る場合でも、直近の関連情報を探すだけの処理であるから、番組制作者側が最小限の作業負担で済む。また、この方法は、話題が時間とともに変質するような場合でも、それに柔軟に対応することが可能である。
【００８８】
また、受信側で独自に関連情報のリンクを張る場合は、リンク情報が放送により送られていない状況においても、番組や、さらには、放送局の枠を超えて、蓄積した情報の関連を求めることができる。
【図面の簡単な説明】
【図１】第１の実施形態における放送システムの構成を示すブロック、
【図２】第１の実施形態の放送システムでのカテゴリ情報、
【図３】第１の実施形態の放送システムでの蓄積リスト（その１）、
【図４】第１の実施形態の放送システムでの番組編成情報、
【図５】第１の実施形態の放送システムでの画面表示の例、
【図６】第１の実施形態の放送システムでの蓄積リスト（その２）、
【図７】第１の実施形態の放送システムでの記事管理情報、
【図８】第１の実施形態の放送システムでのシーン定義情報、
【図９】第１の実施形態の放送システムでの蓄積リスト（その３）、
【図１０】第２の実施形態の放送システムでの蓄積リスト（その１）、
【図１１】第２の実施形態の放送システムでの記事管理情報、
【図１２】第２の実施形態の放送システムでの蓄積リスト（その２）、
【図１３】第１の実施形態の放送システムでの蓄積の整理手順を示すフロー図、
【図１４】第１の実施形態の放送システムでの記事の追加手順を示すフロー図、
【図１５】第１の実施形態の放送システムでの記事の再生手順を示すフロー図、
【図１６】第２の実施形態の放送システムでの記事の再生手順を示すフロー図、
【図１７】第３の実施形態の放送システムでのリンク情報の生成手順を示すフロー図、
【符号の説明】
１０  送出装置
１１  映像送出手段
１２  番組編成情報送出手段
１３  番組インデックス送出手段
１４  多重器
１５  変調器
２０  受信装置
２１  受信手段
２２  分離手段
２３  再生手段
２４  提示手段
２５  付加情報取得手段
２６  蓄積手段
２７  ＣＰＵ
２８  メモリ
３０  伝送手段
【図１】
0003617785.tif 000002
【図２】
0003617785.tif 000003
【図３】
0003617785.tif 000004
【図４】
0003617785.tif 000005
【図５】
0003617785.tif 000006
【図６】
0003617785.tif 000007
【図７】
0003617785.tif 000008
【図８】
0003617785.tif 000009
【図９】
0003617785.tif 000010
【図１０】
0003617785.tif 000011
【図１１】
0003617785.tif 000012
【図１２】
0003617785.tif 000013
【図１３】
0003617785.tif 000014
【図１４】
0003617785.tif 000015
【図１５】
0003617785.tif 000016
【図１６】
0003617785.tif 000017
【図１７】
0003617785.tif 000018